Podtech/llm-jp-corpus-v4-ja_patent huggingface dataset:
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
基板を処理するための方法であって、
基板の特徴の中に、厚さを有する第１の流動性膜を形成することであって、前記厚さが前記特徴の高さより小さく、
前記特徴の中に前記第１の流動性膜を堆積させることと、
前記基板を酸素含有プラズマに曝すことと、
前記基板を紫外線に曝すことと
を含む、第１の流動性膜を形成することと、
第１の流動性膜の上に第２の流動性膜の一又は複数の層を形成するために、前記第１の流動性膜を形成する処理を繰り返すことであって、前記第１の流動性膜及び前記第２の流動性膜の一又は複数の層は全体で前記特徴の前記高さ以上の膜厚を有している、繰り返すことと、
前記第１の流動性膜及び前記第２の流動性膜をアニール処理することと
を含む、方法。
【請求項２】
前記第１の流動性膜を堆積させることが、
前記基板が配置される基板処理チャンバの中の処理領域にケイ素含有前駆体を供給することと、
プラズマ活性化ガスを形成するために遠隔プラズマシステムにガスを供給することと、
前記プラズマ活性化ガスの少なくとも一部を前記処理領域内に導入することと、
前記特徴の中に前記流動性膜を形成するために、前記プラズマ活性化ガス及び前記ケイ素含有前駆体を反応させることと
を含む、請求項１に記載の方法。
【請求項３】
前記基板を前記酸素含有プラズマに曝すことが、前記基板を窒素含有プラズマに曝すことを更に含む、請求項１に記載の方法。
【請求項４】
前記基板を前記酸素含有プラズマに曝すことが、前記基板を炭素含有プラズマに曝すことを更に含む、請求項１に記載の方法。
【請求項５】
前記基板を紫外線に曝すことは、前記基板が紫外線に曝される間、前記基板を１００℃未満に維持されたペデスタルの上に位置付けることを更に含む、請求項１に記載の方法。
【請求項６】
前記第１の流動性膜を形成することを繰り返すときに、前記第１の流動性膜及び前記第２の流動性膜の一又は複数の層の各々の厚さが、前記処理の繰り返し毎に増加する、請求項１に記載の方法。
【請求項７】
前記第１の流動性膜及び前記第２の流動性膜の一又は複数の層が各々、実質的に同一の厚さを有している、請求項１に記載の方法。
【請求項８】
基板の中に特徴を充填するための方法であって、
前記特徴の中に厚さを有する第１の流動性誘電体膜を形成することであって、前記厚さが前記特徴の高さより小さく、
前記基板が配置される処理チャンバの中の処理領域にケイ素前駆体を供給することと、
プラズマを形成することと、
前記プラズマに曝されたガスの少なくとも一部を前記処理領域内に導入することと
を含む、第１の流動性誘電体膜を形成することと、
前記基板を酸素含有プラズマに曝すことと、
前記基板を紫外線に曝すことと、
前記第１の流動性誘電体膜の上に誘電体流動性膜の追加の層を形成するために、前記第１の流動性誘電体膜を形成することを繰り返すことであって、前記第１の流動性誘電体膜及び前記誘電体流動性膜の追加の層は全体で、前記特徴の高さ以上の膜厚を有する膜スタックを形成する、繰り返すことと、
前記膜スタックをアニール処理することと
を含む方法。
【請求項９】
前記膜スタックが均一の密度を有している、請求項８に記載の方法。
【請求項１０】
前記第１の流動性誘電体膜を形成することを繰り返すときに、前記流動性誘電体膜の追加の層の各々の厚さが、前記処理の繰り返し毎に増加する、請求項８に記載の方法。
【請求項１１】
層を形成する方法であって、
第１の基板処理チャンバ内に配置された、パターン形成された基板の上に酸素を含まない前駆体を流すことと、
前記パターン形成された基板の上に厚さを有する膜として前記前駆体の少なくとも一部を堆積させることであって、前記厚さが前記基板の上の特徴の深さより小さい、堆積させることと、
前記パターン形成された基板をプラズマに曝すことと、
紫外線源を備えた第２の基板処理チャンバ内に前記パターン形成された基板を移送することと、
前記紫外線源によって供給された紫外線に前記パターン形成された基板を曝すことと、
第１の層の上に追加の層を形成するために、第１の層を形成することを繰り返すことであって、前記第１の層及び前記追加の層は全体で、均一の密度及び前記特徴の高さ以上の膜厚を有する膜スタックを形成する、繰り返すことと、
前記膜スタックをアニール処理することと
を含む方法。
【請求項１２】
前記方法が連続真空下で実行される、請求項１１に記載の方法。
【請求項１３】
前記プラズマが、酸素含有プラズマ、窒素含有プラズマ、又は炭素含有プラズマである、請求項１１に記載の方法。
【請求項１４】
前記パターン形成された基板を前記紫外線に曝す間、前記パターン形成された基板が１００℃未満で維持されたペデスタルの上に配置される、請求項１１に記載の方法。
【請求項１５】
前記第１の層を形成することの各連続的繰り返しについて、前記層の厚さが前の繰り返しにおける前記層の厚さより大きい、請求項１１に記載の方法。
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
表１の標的遺伝子により発現される任意のタンパク質からなる群から選択される標的タンパク質の発現をアップレギュレートする単離された合成ｓａＲＮＡ。
【請求項２】
一本鎖であり、かつ１４〜３０ヌクレオチド長である、請求項１に記載のｓａＲＮＡ。
【請求項３】
配列番号１〜４０４７、３１５２３６〜３１８７２６、５８４７８５〜５８９０６１、９１３３１０〜９１７５３１、１２４１０８０〜１２４５４０１、および１５５９９３２〜１５６４３７２からなる群から選択されるヌクレオチド配列の逆相補体と少なくとも８０％同一である、請求項２に記載のｓａＲＮＡ。
【請求項４】
３’オーバーハングを含む、請求項１または２に記載のｓａＲＮＡ。
【請求項５】
本出願の冒頭で参照された配列表に記載のアンチセンス配列からなる群から選択されるアンチセンス配列を含む、請求項２に記載のｓａＲＮＡ。
【請求項６】
３’テールを含む、請求項２〜５のいずれか一項に記載のｓａＲＮＡ。
【請求項７】
少なくとも１つの修飾を含む、請求項２〜６のいずれか一項に記載のｓａＲＮＡ。
【請求項８】
アンチセンス鎖とセンス鎖とを含むｓａＲＮＡ二本鎖であり、各鎖が独立して１４〜３０ヌクレオチド長である、請求項１に記載のｓａＲＮＡ。
【請求項９】
前記ｓａＲＮＡ二本鎖の前記アンチセンス鎖が、配列番号１〜４０４７、３１５２３６〜３１８７２６、５８４７８５〜５８９０６１、９１３３１０〜９１７５３１、１２４１０８０〜１２４５４０１、および１５５９９３２〜１５６４３７２からなる群から選択されるヌクレオチド配列の逆相補体と少なくとも８０％同一である、請求項８に記載のｓａＲＮＡ。
【請求項１０】
前記ｓａＲＮＡの前記アンチセンス鎖または前記センス鎖が独立して３’オーバーハングを含む、請求項８または９に記載のｓａＲＮＡ。
【請求項１１】
本出願の冒頭で参照された配列表に記載のセンス配列および対応するアンチセンス配列からなる配列の群から選択されるセンス配列およびアンチセンス配列を含む、請求項８に記載のｓａＲＮＡ。
【請求項１２】
３’テールを含む、請求項８〜１１のいずれか一項に記載のｓａＲＮＡ。
【請求項１３】
前記アンチセンス鎖および前記センス鎖が独立して少なくとも１つの修飾を含む、請求項８〜１２のいずれか一項に記載のｓａＲＮＡ。
【請求項１４】
請求項１〜１３のいずれか一項に記載のｓａＲＮＡと、少なくとも１種の薬学的に許容可能な賦形剤とを含む医薬組成物。
【請求項１５】
表２の任意の非コード標的遺伝子からなる群から選択される標的遺伝子の発現をアップレギュレートする単離された合成ｓａＲＮＡ。
【請求項１６】
一本鎖であり、かつ１４〜３０ヌクレオチド長である、請求項１５に記載のｓａＲＮＡ。
【請求項１７】
配列番号１８７９１８９〜１８８９２０７からなる群から選択されるヌクレオチド配列の逆相補体と少なくとも８０％同一である、請求項１６に記載のｓａＲＮＡ。
【請求項１８】
３’オーバーハングを含む、請求項１５または１６に記載のｓａＲＮＡ。
【請求項１９】
本出願の冒頭で参照された配列表に記載のアンチセンス配列からなる群から選択されるアンチセンス配列を含む、請求項１６に記載のｓａＲＮＡ。
【請求項２０】
３’テールを含む、請求項１６〜１９のいずれか一項に記載のｓａＲＮＡ。
【請求項２１】
少なくとも１つの修飾を含む、請求項１６〜２０のいずれか一項に記載のｓａＲＮＡ。
【請求項２２】
アンチセンス鎖とセンス鎖とを含むｓａＲＮＡ二本鎖であり、各鎖が独立して１４〜３０ヌクレオチド長である、請求項１５に記載のｓａＲＮＡ。
【請求項２３】
前記ｓａＲＮＡ二本鎖の前記アンチセンス鎖が、配列番号１８７９１８９〜１８８９２０７からなる群から選択されるヌクレオチド配列の逆相補体と少なくとも８０％同一である、請求項２２に記載のｓａＲＮＡ。
【請求項２４】
前記ｓａＲＮＡの前記アンチセンス鎖または前記センス鎖が独立して３’オーバーハングを含む、請求項２２または２３に記載のｓａＲＮＡ。
【請求項２５】
本出願の冒頭で参照された配列表に記載のセンス配列および対応するアンチセンス配列からなる配列の群から選択されるセンス配列およびアンチセンス配列を含む、請求項２２に記載のｓａＲＮＡ。
【請求項２６】
３’テールを含む、請求項２２〜２５のいずれか一項に記載のｓａＲＮＡ。
【請求項２７】
前記アンチセンス鎖および前記センス鎖が独立して少なくとも１つの修飾を含む、請求項２２〜２６のいずれか一項に記載のｓａＲＮＡ。
【請求項２８】
請求項１５〜２７のいずれか一項に記載のｓａＲＮＡと、少なくとも１種の薬学的に許容可能な賦形剤とを含む医薬組成物。
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
以下を含む発現ベクター：
（a）リジン特異的デメチラーゼ4D（KDM4D）をコードする核酸配列；
（b）該核酸配列に機能的に連結された、KDM4Dの過剰発現をもたらすプロモーター；および
（c）KDM4Dの過剰発現を誘導的に抑制する調節エレメント。
【請求項２】
（b）のプロモーターが組織特異的プロモーターである、請求項1記載の発現ベクター。
【請求項３】
組織特異的プロモーターが、心臓組織、骨格筋、ニューロン、膵島細胞、または肝細胞に特異的である、請求項2記載の発現ベクター。
【請求項４】
調節エレメントがテトラサイクリン応答エレメントである、請求項1〜3のいずれか一項記載の発現ベクター。
【請求項５】
請求項2記載の発現ベクターを含む、哺乳動物において組織特異的過形成を誘導するための薬学的組成物。
【請求項６】
請求項3記載の発現ベクターを含む、哺乳動物において心筋細胞（CM）の過形成を誘導するための薬学的組成物。
【請求項７】
請求項3記載の発現ベクターを含有する心筋細胞（CM）を含み、CMが哺乳動物の心臓組織内に移植されるように用いられることを特徴とする、哺乳動物においてCMの過形成を誘導するための薬学的組成物。
【請求項８】
KDM4Dを含む、CMの過形成を誘導するための薬学的組成物。
【請求項９】
請求項3記載の発現ベクターを含有するCMを含み、CMが哺乳動物の心臓組織内に移植されるように用いられることを特徴とする、哺乳動物において心機能を改善するための薬学的組成物。
【請求項１０】
請求項3記載の発現ベクターを含む、哺乳動物における心機能を改善するための薬学的組成物。
【請求項１１】
KDM4Dを含む、哺乳動物における心機能を改善するための薬学的組成物。
【請求項１２】
CM過形成を誘導するのに有効な条件下においてKDM4Dと共にCMを培養する段階を含む、CMを増殖させる方法。
【請求項１３】
CMが成体CM（ACM）である、請求項12記載の方法。
【請求項１４】
CMにおけるヒストンH3のリジン9（H3K9me3）レベルの低減剤を含む、心臓の再生を促進するための薬学的組成物。
【請求項１５】
低減剤が、請求項3記載の発現ベクターである、請求項14記載の薬学的組成物。
【請求項１６】
低減剤が、前記発現ベクターを含有するCMを含む、請求項15記載の薬学的組成物。
【請求項１７】
低減剤が、KDM4Dである、請求項14記載の薬学的組成物。
【請求項１８】
全身投与されるように用いられることを特徴とする、請求項5〜6、8、10〜11、および14〜17のいずれか一項記載の薬学的組成物。
【請求項１９】
静脈内投与されるように用いられることを特徴とする、請求項5〜6、8、10〜11、および14〜17のいずれか一項記載の薬学的組成物。
【請求項２０】
心筋内注射によって投与されるように用いられることを特徴とする、請求項5〜11、および14〜17のいずれか一項記載の薬学的組成物。
【手続補正２】
【補正対象書類名】明細書
【補正対象項目名】００１９
【補正方法】変更
【補正の内容】
【００１９】
本発明の方法は、特定の状況について好適であると当業者に理解される様々な方法のうち任意の方法で対象に投与を行うことを含み得る。ある態様においては、投与は全身投与である。別の態様においては、投与は静脈内投与である。ある態様においては、投与は心筋内注射による。対象は典型的に哺乳動物である。ある態様においては、哺乳動物はヒトである。別の態様においては、哺乳動物は家畜である。家畜の例は、非限定的に、ウマ、イヌ、ウシ、ブタ、ヒツジ、およびネコの対象を含む。
[本発明1001]
以下を含む発現ベクター：
（a）リジン特異的デメチラーゼ4D（KDM4D）をコードする核酸配列；
（b）該核酸配列に機能的に連結された、KDM4Dの過剰発現をもたらすプロモーター；および
（c）KDM4Dの過剰発現を誘導的に抑制する調節エレメント。
[本発明1002]
（b）のプロモーターが組織特異的プロモーターである、本発明1001の発現ベクター。
[本発明1003]
組織特異的プロモーターが、心臓組織、骨格筋、ニューロン、膵島細胞、または肝細胞に特異的である、本発明1002の発現ベクター。
[本発明1004]
調節エレメントがテトラサイクリン応答エレメントである、本発明1001の発現ベクター。
[本発明1005]
本発明1002の発現ベクターを哺乳動物に投与する段階を含む、哺乳動物において組織特異的過形成を誘導するための方法。
[本発明1006]
本発明1003の発現ベクターを哺乳動物に投与する段階を含む、哺乳動物において心筋細胞（CM）の過形成を誘導するための方法。
[本発明1007]
本発明1003の発現ベクターを含有する心筋細胞（CM）を、哺乳動物の心臓に移植する段階を含む、哺乳動物においてCMの過形成を誘導するための方法。
[本発明1008]
KDM4DをCMに投与する段階を含む、CMの過形成を誘導するための方法。
[本発明1009]
本発明1003の発現ベクターを含有するCMを、哺乳動物の心臓に移植する段階を含む、哺乳動物において心機能を改善する方法。
[本発明1010]
本発明1003の発現ベクターを哺乳動物に投与する段階を含む、哺乳動物における心機能を改善する方法。
[本発明1011]
KDM4Dを哺乳動物に投与する段階を含む、哺乳動物における心機能を改善する方法。
[本発明1012]
CM過形成を誘導するのに有効な条件下においてKDM4Dと共にCMを培養する段階を含む、CMを増殖させる方法。
[本発明1013]
CMが成体CM（ACM）である、本発明1012の方法。
[本発明1014]
CMにおけるヒストンH3のリジン9（H3K9me3）レベルを減少させる段階を含む、心臓の再生を促進する方法。
[本発明1015]
減少させる段階が、心臓の再生を必要とする対象に本発明1003の発現ベクターを投与することを含む、本発明1014の方法。
[本発明1016]
発現ベクターが、該発現ベクターを含有するCMを投与することによって投与される、本発明1015の方法。
[本発明1017]
減少させる段階が、KDM4Dを投与することを含む、本発明1014の方法。
[本発明1018]
投与が全身投与である、本発明1005〜1006、1008、1010〜1011、および1014〜1017のいずれかの方法。
[本発明1019]
投与が静脈内投与である、本発明1005〜1006、1008、および1010〜1011、および1014〜1017のいずれかの方法。
[本発明1020]
投与が心筋内注射による、本発明1005〜1011、および1014〜1017のいずれかの方法。
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
患者からの試料における低頻度変異を検出する方法において、
前記試料からＤＮＡを単離するステップ；
ブロッキングプローブを前記単離ＤＮＡに加えるステップであって、前記ブロッキングプローブが、前記試料に対応する野生型ＤＮＡに相補的なオリゴヌクレオチドを含み、前記ブロッキングプローブが、前記単離ＤＮＡの目的の領域内の疑いのある変異の部位にわたるように適合され、前記目的の領域がＫＲＡＳコドン１２であり、及び前記ブロッキングプローブがＣＣＴＡＣＧＣＣＡＣＡＧＣＴＣＣＡＡ（配列番号１）である、ステップ；
前記単離ＤＮＡを増幅するステップ；
前記増幅ＤＮＡの断片を、並列にシークエンシングするステップ；及び
前記シークエンシングされた断片に対応する出力を作成するステップ
を含むことを特徴とする、方法。
【請求項２】
請求項１に記載の方法において、前記ブロッキングプローブがロックド核酸（ＬＮＡ）であることを特徴とする、方法。
【請求項３】
請求項１に記載の方法において、ブロッキングプローブを加えるステップの前に、前記単離ＤＮＡを、１つ以上の目的の領域を含む断片に断片化するステップを更に含むことを特徴とする、方法。
【請求項４】
請求項１に記載の方法において、前記単離ＤＮＡを増幅するステップの前に、前記単離ＤＮＡを断片化し、１つ以上の濃縮プローブにタグ付けするステップを更に含むことを特徴とする、方法。
【請求項５】
請求項１に記載の方法において、前記試料が、全血、便、生検組織、骨髄、細針吸引液（ＦＮＡ）、及び末梢血からなる群から選択されることを特徴とする、方法。
【請求項６】
単離ＤＮＡにおける低頻度変異を検出するための方法において、
ブロッキングプローブを前記単離ＤＮＡの増幅中に試薬に加えるステップであって、前記ブロッキングプローブが、前記試料に対応する野生型ＤＮＡに相補的なオリゴヌクレオチドを含み、前記ブロッキングプローブが、前記単離ＤＮＡの目的の領域内の疑いのある変異の部位にわたるように適合され、前記目的の領域がＫＲＡＳコドン１２であり、及び前記ブロッキングプローブがＣＣＴＡＣＧＣＣＡＣＡＧＣＴＣＣＡＡ（配列番号１）である、ステップ；
前記増幅ＤＮＡの断片を、並列にシークエンシングするステップ；及び
前記シークエンシングされた断片に対応する出力を作成するステップ
を含むことを特徴とする、方法。
【請求項７】
請求項６に記載の方法において、前記ブロッキングプローブがロックド核酸（ＬＮＡ）であることを特徴とする、方法。
【請求項８】
請求項６に記載の方法において、ブロッキングプローブを加えるステップの前に、前記単離ＤＮＡを、１つ以上の目的の領域を含む断片に断片化するステップを更に含むことを特徴とする、方法。
【請求項９】
請求項６に記載の方法において、前記単離ＤＮＡを増幅するステップの前に、前記単離ＤＮＡを断片化し、１つ以上の濃縮プローブにタグ付けするステップを更に含むことを特徴とする、方法。
【請求項１０】
請求項６に記載の方法において、前記試料が、全血、便、生検組織、骨髄、細針吸引液（ＦＮＡ）、及び末梢血からなる群から選択されることを特徴とする、方法。
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
回路であって、
入力電圧への接続のために構成される入力端子を有する第1のトランジスタデバイスと、
固定電圧においてバイアスされたゲートを有する第2のトランジスタデバイスであって、前記第1のトランジスタデバイスのカスコードである、第2のトランジスタデバイスと、
第2のトランジスタデバイスのカスコードとして接続される出力トランジスタデバイスであって、出力端子および制御端子を有する、出力トランジスタデバイスと、
前記出力端子上の出力信号を継続的に追跡する結合信号により前記制御端子を駆動するように構成される、前記制御端子と前記出力端子との間の容量結合と、
前記制御端子に接続されるバイアス回路であって、前記制御端子上に駆動信号を提供するために前記結合信号と組み合わされるDCバイアス電圧を提供するように構成され、前記DCバイアス電圧を第1の電圧レベルと第2の電圧レベルとの間に維持することによって、前記バイアス回路内の1つまたは複数の信号伝播遅延に対応する遅延で前記駆動信号の電圧レベルの変化に応答するようにさらに構成される、バイアス回路と
を備える、回路。
【請求項２】
前記容量結合が、
前記出力トランジスタデバイスの前記制御端子と前記出力トランジスタデバイスの前記出力端子との間の第1のキャパシタンスと、
前記第1のトランジスタデバイスの前記入力端子と前記出力トランジスタデバイスの前記制御端子との間の第2のキャパシタンスと
を備える、請求項1に記載の回路。
【請求項３】
前記出力トランジスタデバイスの前記制御端子と前記出力トランジスタデバイスの前記出力端子との間の前記容量結合が、前記制御端子と前記出力端子との間の寄生容量を備える、請求項1に記載の回路。
【請求項４】
前記出力トランジスタデバイスの前記制御端子と前記出力トランジスタデバイスの前記出力端子との間の前記容量結合が、前記制御端子と前記出力端子との間に接続されるキャパシタを備える、請求項1に記載の回路。
【請求項５】
第4のトランジスタデバイスと、
第2の固定電圧においてバイアスされたゲートを有する第5のトランジスタデバイスであって、前記第4のトランジスタデバイスのカスコードである、第5のトランジスタデバイスと、
前記第5のトランジスタデバイスのカスコードとして接続される第2の出力トランジスタデバイスであって、第2の出力端子および第2の制御端子を有する、第2の出力トランジスタデバイスと、
前記第2の出力端子上の第2の出力信号を継続的に追跡する第2の結合信号により前記第2の制御端子を駆動するように構成される、前記第2の制御端子と前記第2の出力端子との間の第2の容量結合と、
前記第2の制御端子に接続される第2のバイアス回路であって、前記第2の制御端子上に第2の駆動信号を提供するために前記第2の結合信号と組み合わされる第2のDCバイアス電圧を提供するように構成され、前記第2の駆動信号の電圧レベルを第3の電圧レベルと第4の電圧レベルとの間に維持することによって、前記第2のバイアス回路内の1つまたは複数の第2の信号伝播遅延に対応する第2の遅延で前記第2の駆動信号の電圧レベルの変化に応答するようにさらに構成される、第2のバイアス回路と
をさらに備える、請求項1に記載の回路。
【請求項６】
前記第2の出力トランジスタデバイスの前記第2の制御端子と前記第2の出力トランジスタデバイスの前記第2の出力端子との間の前記第2の容量結合が、前記第2の制御端子と前記第2の出力端子との間の第2の寄生容量を備える、請求項5に記載の回路。
【請求項７】
前記第2の出力トランジスタデバイスの前記第2の制御端子と前記第2の出力トランジスタデバイスの前記第2の出力端子との間の前記第2の容量結合が、前記第2の制御端子と前記第2の出力端子との間に接続される第2のキャパシタを備える、請求項5に記載の回路。
【請求項８】
出力トランジスタデバイスにおける方法であって、
前記出力トランジスタデバイスの出力端子と前記出力トランジスタデバイスの制御端子との間の容量結合を使用して、前記出力端子における分割出力信号を結合信号として前記制御端子に提供するステップと、
DCバイアス電圧を生成するステップと、
バイアス回路によって、前記DCバイアス電圧を前記結合信号と組み合わせることによって前記出力トランジスタデバイスの前記制御端子上に駆動信号を提供するステップと、
前記DCバイアス電圧の電圧レベルを第1の電圧レベルと第2の電圧レベルとの間に維持することによって、前記バイアス回路内の1つまたは複数の信号伝播遅延に対応する遅延で前記駆動信号の電圧レベルの変化に応答するステップと
を備える、方法。
【請求項９】
前記容量結合が、前記出力端子と前記制御端子との間の寄生容量を備える、請求項8に記載の方法。
【請求項１０】
前記容量結合が、電力レールまたは接地電位と前記制御端子との間に接続されるキャパシタをさらに備え、前記キャパシタおよび前記寄生容量が容量分圧器を規定する、請求項9に記載の方法。
【請求項１１】
前記容量結合が、容量分圧器を規定するために、前記出力端子と前記制御端子との間に接続される第1のキャパシタと、電力レールまたは接地電位と前記制御端子との間に接続される第2のキャパシタとを備える、請求項8に記載の方法。
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
ユーザ端末の周囲の１つまたは複数の物体の仰角を推定するためのデバイスであって、
凸状像反射面と、
前記凸状像反射面の上に配設されている透明な照準面と、
前記透明な照準面上に、または前記透明な照準面内に形成される仰角制限マーキングと、
を備え、
前記仰角制限マーキングは、前記ユーザ端末がすべての方位角方向で遮られずに空を見通せるように前記凸状像反射面の視野内の前記１つまたは複数の物体が下になっていなければならない地上の水平線よりも高く前記仰角を定義する前記凸状像反射面内の反射像を生成する、デバイス。
【請求項２】
前記仰角制限マーキングによって定義される前記仰角は、最大仰角を含む、請求項１に記載のデバイス。
【請求項３】
前記ユーザ端末がすべての方位角方向で遮られずに空を見通せるように前記凸状像反射面の前記視野内の前記１つまたは複数の物体が下になっていなければならない前記地上の前記水平線よりも高く少なくとも第２の仰角を定義する前記凸状像反射面内の反射像を生成する前記透明な照準面上にまたは前記透明な照準面内に形成される少なくとも第２の仰角制限マーキングをさらに備える、請求項１に記載のデバイス。
【請求項４】
前記仰角制限マーキングは、円を含む、請求項１に記載のデバイス。
【請求項５】
前記仰角制限マーキングは、同心円を含む、請求項１に記載のデバイス。
【請求項６】
前記透明な照準面上にまたは前記透明な照準面内に形成され、前記凸状像反射面の極と軸方向に揃えられている、ボアサイトマーキングをさらに備える、請求項１に記載のデバイス。
【請求項７】
前記ボアサイトマーキングは、十字形を含む、請求項６に記載のデバイス。
【請求項８】
前記凸状像反射面の前記視野内の前記１つまたは複数の物体の反射像は、前記凸状像反射面の背後に形成される、請求項１に記載のデバイス。
【請求項９】
前記１つまたは複数の物体の前記反射像が、前記仰角制限マーキングの前記反射像の実質的に外側にある場合、前記１つまたは複数の物体は、前記仰角の下にあると推定される、請求項８に記載のデバイス。
【請求項１０】
前記１つまたは複数の物体の前記反射像の一部が、前記仰角制限マーキングの前記反射像の実質的に内側にある場合、前記１つまたは複数の物体は、前記仰角の上にあると推定される、請求項８に記載のデバイス。
【請求項１１】
前記凸状像反射面は、凸面鏡を含む、請求項１に記載のデバイス。
【請求項１２】
前記透明な照準面は、透明スクリーンを含む、請求項１に記載のデバイス。
【請求項１３】
前記透明な照準面と前記凸状像反射面との間に延在するチューブ状スペーサをさらに備える、請求項１に記載のデバイス。
【請求項１４】
前記デバイスは、組み立て済み一体型ユニットを含む、請求項１に記載のデバイス。
【請求項１５】
前記デバイスは、ユーザが組み立てる組み立て式キットを含む、請求項１に記載のデバイス。
【請求項１６】
ハウジングと、前記ハウジング内に配設されるアンテナと、前記ハウジングの外面上に配設されるか、または外面内に埋め込まれる請求項１に記載のデバイスとを備える、ユーザ端末。
【請求項１７】
ユーザ端末の周囲の１つまたは複数の物体の仰角を推定するための方法であって、
凸状像反射面を前記ユーザ端末上にまたは前記ユーザ端末に隣接して置くステップと、
その上またはその中に仰角制限マーキングが形成されている透明な照準面を通して前記凸状像反射面を見るステップであって、前記仰角制限マーキングは、ユーザ端末がすべての方位角方向で遮られずに空を見通せるように前記凸状像反射面の視野内の前記１つまたは複数の物体が下になっていなければならない地上の水平線よりも高く仰角を定義する前記凸状像反射面内の反射像を生成する、ステップと、
前記１つまたは複数の物体の反射像が前記仰角制限マーキングの前記反射像の実質的に外側にあるか、またはその一部が前記仰角制限マーキングの前記反射像の実質的に内側にあるかを観察するステップであって、前記１つまたは複数の物体の前記反射像が、前記仰角制限マーキングの前記反射像の実質的に外側にある場合、前記１つまたは複数の物体は、前記仰角の下にあると推定され、前記１つまたは複数の物体の前記反射像の一部が、前記仰角制限マーキングの前記反射像の実質的に内側にある場合、前記１つまたは複数の物体は、前記仰角の上にあると推定される、ステップと、
を含む、方法。
【請求項１８】
前記１つまたは複数の物体の反射像が前記仰角制限マーキングの前記反射像の実質的に外側にあるか、またはその一部が前記仰角制限マーキングの前記反射像の実質的に内側にあるかを観察するステップの前に、
前記透明な照準面上に、または前記透明な照準面内に形成されるボアサイトマーキングに焦点を合わせるステップと、
前記ボアサイトマーキングを前記凸状像反射面内に形成される前記ボアサイトマーキングの反射像と軸方向に揃えるステップとをさらに含む、請求項１７に記載の方法。
【請求項１９】
ユーザ端末の周囲の１つまたは複数の物体の仰角を推定するための方法であって、
前記ユーザ端末上に、または前記ユーザ端末に隣接して置かれている凸状像反射面内に仰角制限マーキングの反射像を生成するステップであって、前記仰角制限マーキングはユーザ端末がすべての方位角方向で遮られずに空を見通せるように前記凸状像反射面の視野内の前記１つまたは複数の物体が下になっていなければならない地上の水平線よりも高く前記仰角を定義する、ステップと、
前記凸状像反射面内に前記１つまたは複数の物体の反射像を生成するステップであって、前記１つまたは複数の物体の前記反射像が、前記仰角制限マーキングの前記反射像の実質的に外側にある場合、前記１つまたは複数の物体は、前記仰角の下にあると推定され、前記１つまたは複数の物体の前記反射像の一部が、前記仰角制限マーキングの前記反射像の実質的に内側にある場合、前記１つまたは複数の物体は、前記仰角の上にあると推定される、ステップと、を含む、方法。
【請求項２０】
前記仰角制限マーキングの前記反射像を前記生成するステップは、透明な照準面で実行され、仰角制限マーキングが前記透明な照準面上にまたは前記透明な照準面内に形成される、請求項１９に記載の方法。
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
最適なグローバルアラインメントの後に配列番号１と少なくとも８０％の同一性を有するアミノ酸配列を含んでなる、単離されたポリペプチド、または、最適なグローバルアラインメントの後に配列番号２、５および７〜１３および４７のいずれか１つと少なくとも８０％の同一性を有するアミノ酸配列を含んでなる、そのフラグメントを含んでなる、薬剤。
【請求項２】
前記ポリペプチドが、配列番号２、５および７〜１３および４７、または最適なグローバルアラインメントの後に配列番号２、５および７〜１３および４７の１つと少なくとも８０％の同一性を有するポリペプチドから選択される、請求項１に記載の薬剤。
【請求項３】
皮膚炎症性疾患の治療および／または予防に使用するための、請求項１または請求項２に記載の薬剤。
【請求項４】
前記皮膚炎症性疾患が、座瘡である、請求項３に記載の薬剤。
【請求項５】
前記ポリペプチドまたはそのフラグメントが、宿主細胞への細菌接着に関与する少なくとも１つの微生物タンパク質のフィブリノゲンとの相互作用を阻害することができ、前記細菌は好ましくはアクネ菌であり、フィブリノゲンは好ましくはヒトフィブリノゲンである、請求項１〜４のいずれか一項に記載の薬剤。
【請求項６】
前記皮膚炎症性疾患が、乾癬である、請求項３に記載の薬剤。
【請求項７】
最適なグローバルアラインメントの後に配列番号１と少なくとも８０％の同一性を有するアミノ酸配列を含んでなるポリペプチドのフラグメントであって、最適なグローバルアラインメントの後に配列番号２、５および７〜１３および４７の１つから選択される配列と少なくとも８０％の同一性を有するアミノ酸配列を含んでなる、前記フラグメント。
【請求項８】
１５０個以下のアミノ酸を有する、請求項７に記載のフラグメント。
【請求項９】
配列番号２、５および７〜１３および４７からなる群から選択されるアミノ酸配列を含んでなる、請求項７または請求項８に記載のフラグメント。
【請求項１０】
請求項７〜９のいずれか一項に記載のフラグメントをコードする、単離された核酸分子。
【請求項１１】
請求項１０に記載の核酸分子を含んでなる、ベクター。
【請求項１２】
請求項１０に記載の核酸分子または請求項１１に記載のベクターを含んでなる、宿主細胞。
【請求項１３】
請求項７〜９のいずれか一項に記載のフラグメント、請求項１０に記載の単離された核酸分子、請求項１１に記載のベクター、請求項１２に記載の宿主細胞から選択される少なくとも１つの化合物と薬学上許容可能なビヒクルとを含んでなる、医薬組成物。
【請求項１４】
薬剤として使用するための、請求項１０に記載の単離された核酸分子、請求項１１に記載のベクター、請求項１２に記載の宿主細胞、または請求項１３に記載の医薬組成物。
【請求項１５】
乾癬および／または座瘡から選択される皮膚炎症性疾患、好ましくは座瘡の治療および／または予防において使用するための、請求項１０に記載の単離された核酸分子、請求項１１に記載のベクター、請求項１２に記載の宿主細胞または請求項１３に記載の医薬組成物。
【請求項１６】
薬剤としての同時、個別または逐次使用のための、
請求項７〜９のいずれか一項に記載のフラグメント、請求項１０に記載の単離された核酸分子、請求項１１に記載のベクター、請求項１２に記載の宿主細胞から選択される少なくとも１つの化合物；および
好ましくは、乾癬および／または座瘡から選択される皮膚炎症性疾患、好ましくは座瘡の治療および／または予防のために使用される別の薬剤
を含んでなる、組合せ物。
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
ロッド様の物品（４、４’）またはロッド様の物品の群（３０）の軸の中心合わせのための装置（１、１’）であって、
前記ロッド様の物品（４、４’）または前記ロッド様の物品の群（３０）が、ドラムコンベヤー（２）の周囲に位置する溝（３）の中で運ばれ、かつ前記ドラムコンベヤー（２）の前記溝（３）の中の前記物品（４、４’）の長さまたは前記群中の物品（３０）の合計長さが変化する場合があり、さらに
前記装置に、前記ロッド様の物品（４、４’）または前記ロッド様の物品の群（３０）に作用して前記溝（３）の中の物品の位置を変化させるシフト機構（１３）のプッシャー要素５が提供された装置において、
前記シフト機構（１３）の前記プッシャー要素（５）は、共通の駆動ユニット（２４、２４’）によって駆動され、
かつ、前記ロッド様の物品（４、４’）または前記ロッド様の物品の群（３０）の中心が主に単一平面内に位置付けられるように、前記駆動ユニット（２４、２４’）によって行使される前記力が、前記ロッド様の物品（４、４’）または前記ロッド様の物品の群（３０）に軸方向に作用する前記プッシャー要素（５）に分配されるように形作されている、かつ／または接続され、
前記シフト機構（１３）がカム（１７）によって駆動され、または、前記シフト機構（１３）が空気圧要素（２３）によって駆動されることを特徴とする、装置。
【請求項２】
前記駆動ユニット（２４、２４’）によって行使される前記力が、前記ロッド様の物品（４、４’）または前記ロッド様の物品の群（３０）に作用する２つの等しい分力へと分けられることを特徴とする、請求項１に記載の装置。
【請求項３】
前記駆動ユニット（２４、２４’）によって行使される前記力が、緩衝ユニット（１２、１２’）を通して前記プッシャー要素（５）へ伝達されることを特徴とする、請求項１または２に記載の装置。
【請求項４】
前記緩衝ユニット（１２、１２’）に少なくとも１つの弾性要素が提供されることを特徴とする、請求項３に記載の装置。
【請求項５】
前記緩衝ユニット（１２、１２’）に少なくとも１つのバネ（１４）が提供されることを特徴とする、請求項４に記載の装置。
【請求項６】
駆動ユニット（２４、２４’）によって駆動されるレバー（１０）に接続されたブラケット（６、７）に前記プッシャー要素（５）が取り付けられることを特徴とする、請求項１〜５のいずれか１項に記載の装置。
【請求項７】
前記プッシャー要素（５）が前記ドラムコンベヤー（２）の対称面（Ａ）に対して対称な位置を取ることを特徴とする、請求項６に記載の装置。
【請求項８】
ロッド様の物品（４）またはロッド様の物品の群（３０）の軸の中心合わせの方法であって、
前記ロッド様の物品（４、４’）または前記ロッド様の物品の群（３０）がプッシャー要素（５）によってドラムコンベヤー（２）の前記周囲に位置する前記溝（３）の中で運ばれ、
かつ前記物品（４、４’）の長さ、または前記群中の物品（３０）の合計長さが変化する場合がある方法において、
前記ロッド様の物品（４、４’）または前記ロッド様の物品の群（３０）の中心が主に単一平面内に位置付けられるように、駆動ユニット（２４）によって行使される前記力が、前記ロッド様の物品（４、４’）または前記ロッド様の物品の群（３０）に軸方向に作用する前記シフト機構（１３）の前記プッシャー要素（５）に分配されることを特徴とする、方法。
【請求項９】
少なくとも１つの駆動ユニット（２４）によって行使される前記力が、前記ロッド様の物品（４、４’）または前記ロッド様の物品の群（３０）に作用する２つの等しい分力へと分けられることを特徴とする、請求項８に記載の方法。
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
もとのドライペットフード処方のタンパク質含量の少なくとも一部を提供する肉粉を含むもとのドライペットフード処方を調整して、前記肉粉の少なくとも一部を、肉粉ではない肉で置き換えることによって、もとのドライペットフード処方と比較して、必須脂肪酸又は必須アミノ酸のうち少なくとも１種の生体利用性を向上させるステップであって、調整したドライペットフード処方が、前記もとのドライペットフード処方のタンパク質含量とおよそ等しいタンパク質含量を有する、ステップと、
前記調整したドライペットフード処方によりキブルを製造するステップと、を含む方法。
【請求項２】
前記もとのドライペットフード処方が肉以外の原料を含み、前記調整したドライペットフード処方が、前記もとのドライペットフード処方と比較して、同一の、肉以外の原料を同量含む、請求項１に記載の方法。
【請求項３】
前記肉粉ではない肉が新鮮な肉又は冷凍肉を含み、
前記キブルを製造するステップが、前記新鮮な肉または冷凍肉から肉スラリーを形成するステップと、
前記肉スラリーが混合物の約１４％〜約３０％となるよう前記肉スラリーを原料のドライブレンドに加え、前記混合物を形成するステップと、
前記混合物を押出成形調理し、押出成形品を形成するステップと、
前記押出成形品を加工して前記キブルを形成するステップと、を含む、請求項１に記載の方法。
【請求項４】
前記肉スラリーを形成するステップが、前記新鮮な肉又は冷凍肉のサイズを減少させるステップと、約７１℃以下の温度で直接蒸気を噴射して、前記サイズを減少させた新鮮な肉又は冷凍肉を調理するステップとを含む、請求項３に記載の方法。
【請求項５】
前記肉スラリーを形成するステップが、前記蒸気噴射した肉を乳化させるステップを含む、請求項４に記載の方法。
【請求項６】
前記混合物が、約１８重量％〜約３０重量％のタンパク質を含む、請求項３に記載の方法。
【請求項７】
前記ドライブレンドが、全粒穀類を含む、請求項３に記載の方法。
【請求項８】
前記ドライブレンドが、食物繊維を含む、請求項３に記載の方法。
【請求項９】
前記肉スラリーが、プレコンディショナ内において前記原料のドライブレンドに添加され、前記混合物が、前記プレコンディショナから、前記押出成形調理を行う押出成形機に供給される、請求項３に記載の方法。
【請求項１０】
前記押出成形調理が、前記押出成形機において、２５０〜５００ｐｓｉの圧力下、１０５℃〜１３０℃の温度にて、４０秒未満の期間にわたって実施される、請求項９に記載の方法。
【請求項１１】
前記押出成形品の加工が、前記押出成形品を複数の断片に切り出すステップと、前記断片を乾燥させるステップとを含む、請求項３に記載の方法。
【請求項１２】
前記断片を乾燥させるステップにより、前記断片の含水量を約６％〜約９％水分に減少させる、請求項１１に記載の方法。
【請求項１３】
前記押出成形品の加工が、前記乾燥させた断片を動物性脂肪又は動物消化物のうちの少なくとも１種でコーティングするステップを含む、請求項１１に記載の方法。
【請求項１４】
前記肉粉ではない肉が、前記調整したドライペットフード処方の約１４％〜約３０重量％である、請求項１に記載の方法。
【請求項１５】
前記タンパク質含量が、肉スラリー及びタンパク質源により完全にもたらされ、前記タンパク質源は、植物性タンパク質、肉粉及びこれらの組み合わせからなる群から選択される、請求項１に記載の方法。
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
（ｉ）移動チャンバ及び（ｉｉ）内部チャンバを含むインキュベータキャビネットと、
滅菌媒体源と、
前記滅菌媒体源と動作可能に接続され、且つ前記移動チャンバに滅菌媒体を供給するように構成されたポンプと、
外部環境から前記移動チャンバへと開く外部扉と、
前記移動チャンバから前記内部チャンバへと開く内部扉と、
前記移動チャンバと前記内部チャンバとの間で１つ以上の物品を移動させるための移動デバイスと
を含む、細胞培養インキュベータ。
【請求項２】
前記内部チャンバは複数の細胞培養容器を貯蔵するように構成されている、請求項１に記載のインキュベータ。
【請求項３】
前記滅菌媒体源は前記内部チャンバと流体連通する、請求項１又は２に記載のインキュベータ。
【請求項４】
前記外部扉は、閉じられると実質的に気密のシールを形成し、及び／又は
前記内部扉は、閉じられると実質的に気密のシールを形成する、
請求項１〜３のいずれか一項に記載のインキュベータ。
【請求項５】
前記移動チャンバは細胞培養容器を受け入れるように構成されている、請求項１〜４のいずれか一項に記載のインキュベータ。
【請求項６】
１つ以上の物品を移動させるための前記移動デバイスのコントローラを更に含み、任意選択的に、前記コントローラは前記インキュベータキャビネットの外部に配置されている、請求項１〜５のいずれか一項に記載のインキュベータ。
【請求項７】
前記コントローラはコンピュータを含む、請求項６に記載のインキュベータ。
【請求項８】
前記内部チャンバ内の１つ以上の細胞培養容器を移動させるための細胞培養容器移動デバイスを更に含む、請求項１〜７のいずれか一項に記載のインキュベータ。
【請求項９】
前記細胞培養容器移動デバイスは１つ以上のロボット要素を含む、請求項８に記載のインキュベータ。
【請求項１０】
前記ポンプは前記インキュベータキャビネットから前記滅菌媒体を除去するように構成されている、請求項１〜９のいずれか一項に記載のインキュベータ。
【請求項１１】
前記インキュベータキャビネットから前記滅菌媒体を除去するように構成される追加的なポンプを更に含む、請求項１〜１０のいずれか一項に記載のインキュベータ。
【請求項１２】
前記ポンプは前記移動チャンバから前記滅菌媒体を除去するように構成されている、請求項１〜１１のいずれか一項に記載のインキュベータ。
【請求項１３】
前記移動チャンバから前記滅菌媒体を除去するように構成される追加的なポンプを更に含む、請求項１〜１２のいずれか一項に記載のインキュベータ。
【請求項１４】
前記移動デバイスは１つ以上のロボット要素を含む、請求項１〜１３のいずれか一項に記載のインキュベータ。
【請求項１５】
前記滅菌媒体はオゾンガス又は過酸化水素ガスを含む、請求項１〜１４のいずれか一項に記載のインキュベータ。
【請求項１６】
前記滅菌媒体源はオゾン発生器、圧縮オゾン源又は圧縮過酸化水素源を含む、請求項１〜１４のいずれか一項に記載のインキュベータ。
【手続補正２】
【補正対象書類名】明細書
【補正対象項目名】０１３６
【補正方法】変更
【補正の内容】
【０１３６】
特に明確に指示のない限り、２つ以上の工程又は行為を含む、本明細書中で特許請求される任意の方法において、方法の工程又は行為の順序は、方法の工程又は行為が列挙される順序に必ずしも限定されないことも理解すべきである。
本発明は、例えば、以下の項目を提供する。
（項目１）
（ｉ）移動チャンバ及び（ｉｉ）内部チャンバを含むインキュベータキャビネットと、
滅菌媒体源と、
前記滅菌媒体源と動作可能に接続され、且つ前記移動チャンバに滅菌媒体を供給するように構成されたポンプと、
外部環境から前記移動チャンバへと開く外部扉と、
前記移動チャンバから前記内部チャンバへと開く内部扉と、
前記移動チャンバと前記内部チャンバとの間で１つ以上の物品を移動させるための移動デバイスと
を含む、細胞培養インキュベータ。
（項目２）
前記内部チャンバは複数の細胞培養容器を貯蔵するように構成されている、項目１に記載のインキュベータ。
（項目３）
前記滅菌媒体源は前記内部チャンバと流体連通する、項目１又は２に記載のインキュベータ。
（項目４）
前記外部扉は、閉じられると実質的に気密のシールを形成する、項目１〜３のいずれか一項に記載のインキュベータ。
（項目５）
前記内部扉は、閉じられると実質的に気密のシールを形成する、項目１〜４のいずれか一項に記載のインキュベータ。
（項目６）
前記移動チャンバは細胞培養容器を受け入れるように構成されている、項目１〜５のいずれか一項に記載のインキュベータ。
（項目７）
１つ以上の物品を移動させるための前記移動デバイスのコントローラを更に含む、項目１〜６のいずれか一項に記載のインキュベータ。
（項目８）
前記コントローラは前記インキュベータキャビネットの外部に配置されている、項目７に記載のインキュベータ。
（項目９）
前記コントローラはコンピュータを含む、項目７又は８に記載のインキュベータ。
（項目１０）
前記内部チャンバ内の１つ以上の細胞培養容器を移動させるための細胞培養容器移動デバイスを更に含む、項目１〜９のいずれか一項に記載のインキュベータ。
（項目１１）
前記細胞培養容器移動デバイスは１つ以上のロボット要素を含む、項目１０に記載のインキュベータ。
（項目１２）
前記ポンプは前記インキュベータキャビネットから前記滅菌媒体を除去するように構成されている、項目１〜１１のいずれか一項に記載のインキュベータ。
（項目１３）
前記インキュベータキャビネットから前記滅菌媒体を除去するように構成される追加的なポンプを更に含む、項目１〜１２のいずれか一項に記載のインキュベータ。
（項目１４）
前記ポンプは前記移動チャンバから前記滅菌媒体を除去するように構成されている、項目１〜１３のいずれか一項に記載のインキュベータ。
（項目１５）
前記移動チャンバから前記滅菌媒体を除去するように構成される追加的なポンプを更に含む、項目１〜１４のいずれか一項に記載のインキュベータ。
（項目１６）
前記移動デバイスは１つ以上のロボット要素を含む、項目１〜１５のいずれか一項に記載のインキュベータ。
（項目１７）
前記滅菌媒体はオゾンガスを含む、項目１〜１６のいずれか一項に記載のインキュベータ。
（項目１８）
前記滅菌媒体は過酸化水素ガスを含む、項目１〜１６のいずれか一項に記載のインキュベータ。
（項目１９）
前記滅菌媒体源はオゾン発生器を含む、項目１〜１６のいずれか一項に記載のインキュベータ。
（項目２０）
前記滅菌媒体源は圧縮オゾン源を含む、項目１〜１６のいずれか一項に記載のインキュベータ。
（項目２１）
前記滅菌媒体源は圧縮過酸化水素源を含む、項目１〜１６のいずれか一項に記載のインキュベータ。
【手続補正書】
【提出日】令和1年9月6日(2019.9.6)
【手続補正１】
【補正対象書類名】明細書
【補正対象項目名】０００２
【補正方法】変更
【補正の内容】
【０００２】
連邦政府による資金提供を受けた研究開発の記載
本発明は、アメリカ国立衛生研究所によって与えられたGM058843及びアメリカ国立科学財団によって与えられたCHE-1156449の下で政府の支援によってなされた。政府は、本発明において確固たる権利を有する。